(57)【要約】【課題】板厚方向に効率よく光を透過させることができる導光体、および、当該導光体を用いた表示装置を提供する。【解決手段】導光体１１３であって、面３５０ａに反射意匠１４１の形状に並んで配置され、正六角形の底面５０２が面３５０ａ側の空間に開放されている直角錐形状の空間を形成している複数の凹部５００を有する板状の出射部３５０を備え、複数の凹部５００のうちの凹部５００Ａの底面５０２Ａにおける辺５０２Ａａと、凹部５００Ａに隣り合う凹部５００Ｂの底面５０２Ｂの凹部５００Ａ側の辺５０２Ｂａとが、平行である。【選択図】図１０
2019089509.tif 000002
【特許請求の範囲】
【請求項１】
所定の表面に第１意匠の形状に並んで配置され、正ｎ角形（ｎは３、４または６）の底面が前記所定の表面側の空間に開放されている直角錐形状の空間を形成している複数の凹部を有する板状の出射部を備え、
前記複数の凹部のうちの第１凹部の第１底面における第１の辺と、前記第１凹部に隣り合う第２凹部の第２底面の前記第１凹部側の第２の辺とが、平行である
導光体。
【請求項２】
前記複数の凹部は、それぞれ同じサイズであり、
前記第１の辺と前記第２の辺とは、略全長に亘って互いに対向している
請求項１に記載の導光体。
【請求項３】
前記複数の凹部は、前記第１凹部と、前記第１底面の各辺に対向する複数の前記第２凹部とを有し、
前記第１底面の複数の前記第１の辺のそれぞれは、当該第１の辺が対向する前記第２凹部の第２底面の第２の辺と、互いに平行である
請求項１または２に記載の導光体。
【請求項４】
前記第１凹部の直角錐形状の第１頂点と、前記第２凹部の直角錐形状の第２頂点との間の距離は、前記第１底面または前記第２底面の外接円の直径の２倍より小さい
請求項１から３のいずれか１項に記載の導光体。
【請求項５】
請求項１から４のいずれか１項に記載の導光体と、
前記導光体の端面に光を出射する第１光源と、
前記導光体の前記所定の表面に光を出射する第２光源と、を備える
表示装置。
【請求項６】
前記第１光源および前記第２光源の発光を制御する制御回路をさらに備え、
前記制御回路は、前記第２光源のみを発光させる第１制御を行う
請求項５に記載の表示装置。
【請求項７】
前記制御回路は、さらに、前記第１光源のみを発光させる第２制御を行う
請求項６に記載の表示装置。
【請求項８】
さらに、
前記第２光源と前記出射部との間に配置され、前記第２光源により発光された光を拡散する光拡散部を備える
請求項５から７のいずれか１項に記載の表示装置。
【請求項９】
前記光拡散部は、前記第１意匠と異なる第２意匠の形状の透光部分で前記第２光源の光を透光し、前記透光部分を除く遮光部分で光を遮光する
請求項８に記載の表示装置。
【請求項１０】
前記第１意匠と前記第２意匠とは重なって配置される
請求項９に記載の表示装置。
【発明の詳細な説明】
【技術分野】
【０００１】
本発明は、導光体および表示装置に関する。
【背景技術】
【０００２】
特許文献１には、導光体の端部から光源の光を導入して多数の凹部のテーパ面で導入した光を反射させるバックライト導光体が開示されている。
【先行技術文献】
【特許文献】
【０００３】
【特許文献１】特開２００７−８０７８９号公報
【発明の概要】
【発明が解決しようとする課題】
【０００４】
ところで、導光体の板厚方向に光源を配置し、当該光源からの光を透過させるニーズがある。しかしながら、特許文献１に開示のバックライト導光体では、板厚方向側に配置された光源からの光を効率よく透過させることが難しい。また、この導光体の板厚方向に透過させた光を表示装置に適用すると、表示ムラを発生させるという課題がある。
【０００５】
そこで、本発明は、板厚方向に効率よく光を透過させることができる導光体、および、当該導光体を用いた表示装置を提供することを目的とする。
【課題を解決するための手段】
【０００６】
本発明の一態様に係る導光体は、所定の表面に第１意匠の形状に並んで配置され、正ｎ角形（ｎは３、４または６）の底面が前記所定の表面側の空間に開放されている直角錐形状の空間を形成している複数の凹部を有する板状の出射部を備え、前記複数の凹部のうちの第１凹部の第１底面における第１の辺と、前記第１凹部に隣り合う第２凹部の第２底面の前記第１凹部側の第２の辺とが、平行である。
【０００７】
本発明の一態様に係る表示装置は、上記の導光体と、前記導光体の端面に光を出射する第１光源と、前記導光体の前記所定の表面に光を出射する第２光源と、を備える。
【発明の効果】
【０００８】
本発明の導光体などでは、板厚方向に効率よく光を透過させることができる。
【図面の簡単な説明】
【０００９】
【図１】図１は、実施の形態に係るステアリング入力装置が配置された車両の車室の一例を示す図である。
【図２】図２は、実施の形態に係るステアリング入力装置の使用例を示す図である。
【図３】図３は、実施の形態に係る入力装置の外観斜視図である。
【図４】図４は、実施の形態に係る入力装置の分解斜視図である。
【図５】図５は、実施の形態に係るマスク体の平面図である。
【図６】図６は、導光体の外観斜視図である。
【図７】図７は、導光体をＺ軸方向プラス側から見た正面図である。
【図８】図８は、導光体の反射意匠が形成されている出射部を、光を照射する側から見た図である。
【図９】図９は、互いに隣り合う２つの凹部の関係について説明するための図である。
【図１０】図１０は、互いに隣り合う２つの凹部の関係について説明するための図である。
【図１１】図１１は、意匠を形成している複数の凹部の一部をＺ軸方向プラス側から見た斜視図である。
【図１２】図１２は、入力装置の回路構成の一例を示すブロック図である。
【発明を実施するための形態】
【００１０】
本発明の一態様に係る導光体は、所定の表面に第１意匠の形状に並んで配置され、正ｎ角形（ｎは３、４または６）の底面が前記所定の表面側の空間に開放されている直角錐形状の空間を形成している複数の凹部を有する板状の出射部を備え、前記複数の凹部のうちの第１凹部の第１底面における第１の辺と、前記第１凹部に隣り合う第２凹部の第２底面の前記第１凹部側の第２の辺とが、平行である。
【００１１】
これによれば、複数の凹部の形状を正ｎ角形の底面を有する直角錐形状とし、隣接する凹部の底面の第１の辺および第２の辺同士が平行である。このため、所定の表面側からの光を、第１の辺を含む第１凹部の第１側面で第２凹部の第２の辺を含む第２側面側に導き、かつ、当該光を第２側面で所定の表面とは反対側に向けて反射させることができる。これにより、所定の表面側から光を照射された場合であっても、複数の凹部から所定の表面側とは反対側に光を効果的に出射することができる。
【００１２】
また、前記複数の凹部は、それぞれ同じサイズであり、前記第１の辺と前記第２の辺とは、略全長に亘って互いに対向していてもよい。
【００１３】
このため、第１の辺を含む第１側面で導光体に進入した光の多くを第２の辺を含む第２側面で所定の表面側とは反対側に反射させることができる。よって、所定の表面側からの光を効率よく所定の表面側とは反対側に出射させることができる。よって、表示ムラを低減することができる。
【００１４】
また、前記複数の凹部は、前記第１凹部と、前記第１底面の各辺に対向する複数の前記第２凹部とを有し、前記第１底面の複数の前記第１の辺のそれぞれは、当該第１の辺が対向する前記第２凹部の第２底面の第２の辺と、互いに平行であってもよい。
【００１５】
このため、第１凹部の複数の第１側面のそれぞれで導光体に進入した光を、当該第１側面に対応して隣接する第２凹部の第２側面で所定の表面側とは反対側に反射させることができる。また、第１側面と第２側面とは同じ形状であり、同じ位置関係にあるため、その反対も同様に言える。よって、所定の表面側からの光を効率よく所定の表面側とは反対側に出射させることができる。よって、表示ムラを低減することができる。
【００１６】
また、前記第１凹部の直角錐形状の第１頂点と、前記第２凹部の直角錐形状の第２頂点との間の距離は、前記第１底面または前記第２底面の外接円の直径の２倍より小さくてもよい。
【００１７】
このため、第１の辺を含む第１側面で導光体に進入した光の多くを第２の辺を含む第２側面で所定の表面側とは反対側に反射させることができる。よって、所定の表面側からの光を効率よく所定の表面側とは反対側に出射させることができる。よって、表示ムラを低減することができる。
【００１８】
本発明の一態様に係る表示装置は、上記の導光体と、前記導光体の端面に光を出射する第１光源と、前記導光体の前記所定の表面に光を出射する第２光源と、を備える。
【００１９】
上記のような構成の導光体を用いるため、複数の凹部が形成されている部位においても、導光体において導光体の板厚方向に、第２光源からの光を効率よく透過させることができる。このため、第２光源からの光を用いた表示における表示ムラを低減することができる。
【００２０】
また、前記第１光源および前記第２光源の発光を制御する制御回路をさらに備え、前記制御回路は、前記第２光源のみを発光させる第１制御を行ってもよい。
【００２１】
このため、第２光源からの光を用いた表示における表示ムラを低減することができる。
【００２２】
また、前記制御回路は、さらに、前記第１光源のみを発光させる第２制御を行ってもよい。
【００２３】
このため、第１光源からの光を用いた表示を実現できる。
【００２４】
また、さらに、前記第２光源と前記出射部との間に配置され、前記第２光源により発光された光を拡散する光拡散部を備えてもよい。
【００２５】
このため、第２光源から発光された光による表示における表示ムラを低減することができる。
【００２６】
また、前記光拡散部は、前記第１意匠と異なる第２意匠の形状の透光部分で前記第２光源の光を透光し、前記透光部分を除く遮光部分で光を遮光してもよい。さらに、前記第１意匠と前記第２意匠とは重なって配置されてもよい。
【００２７】
このため、第２光源から発光された光による意匠の表示における表示ムラを低減することができる。
【００２８】
（実施の形態）
［１−１．ステアリング入力装置の構成］
まず、図１及び図２を参照しながら、実施の形態に係るステアリング入力装置２の構成について説明する。図１は、実施の形態に係るステアリング入力装置２が配置された車両の車室の一例を示す図である。図２は、実施の形態に係るステアリング入力装置２の使用例を示す図である。
【００２９】
図１に示す自動車４（車両の一例）の車室には、ステアリング入力装置２及び車載機器６が搭載されている。実施の形態に係るステアリング入力装置２は、ステアリングホイール８及び入力装置１００を備えている。
【００３０】
ステアリングホイール８は、自動車４を操舵するためのものである。ステアリングホイール８は、リング形状を有するリム１２と、リム１２の内周面に一体的に形成された略Ｔ字状のスポーク１４と、スポーク１４の中央部に配置されたホーンスイッチ（図示せず）を覆うホーンスイッチカバー１６とを有している。
【００３１】
入力装置１００は、車載機器６を操作するためのものであり、例えばステアリングホイール８のスポーク１４に配置されている。図２に示すように、ユーザである運転者は、リム１２を握っている右手の指１８（操作物体の一例）で入力装置１００に対して入力を行うことにより、車載機器６を操作することができる。入力装置１００の構成については後で詳述する。
【００３２】
車載機器６は、例えばコンパクトディスク等の光ディスクを再生するためのオーディオ機器である。車載機器６は、例えばダッシュボード２０内に配置されている。車載機器６の構成については後で詳述する。
【００３３】
［１−２．入力装置の構成］
次に、図３〜図５を参照しながら、実施の形態に係る入力装置１００の構成について説明する。図３は、実施の形態に係る入力装置１００の外観斜視図である。図４は、実施の形態に係る入力装置１００の分解斜視図である。図５は、実施の形態に係るマスク体１１４の平面図である。
【００３４】
図３および図４に示すように、実施の形態に係る入力装置１００は、筐体１１１と、第１操作部１１２と、導光体１１３と、マスク体１１４と、第１支持部１１５と、軸体１１６と、第２操作部１１７と、第２支持部１１８と、基板１１９とを備える。
【００３５】
筐体１１１は、入力装置１００の前面側（Ｚ軸方向プラス側）を覆う部材である。
【００３６】
第１操作部１１２は、運転者により操作されることにより、背面側（Ｚ軸方向マイナス側）に設けられる基板１１９に実装されている４つのスイッチ１５１〜１５４のいずれか１つを選択的に押圧する部材である。第１操作部１１２は、第１支持部１１５、軸体１１６及び第２支持部１１８により２軸で揺動可能に支持されている。具体的には、第１操作部１１２は、Ｘ軸方向及びＹ軸方向に平行な方向を軸として揺動可能に支持されている。
【００３７】
例えば、第１操作部１１２のＹ軸方向マイナス側の部位１２５が運転者によって押された場合に、当該部位１２５が軸体１１６のＸ軸方向に平行な第１軸ＡＸ１を中心に揺動し、基板１１９の当該部位１２５に対応する位置に配置されているスイッチ１５１を押圧する。また、第１操作部１１２は、第１操作部１１２のＸ軸方向プラス側の部位１２６が運転者によって押された場合に、当該部位１２６が軸体１１６のＹ軸方向に平行な第２軸ＡＸ２を中心に揺動し、基板１１９の当該部位１２６に対応する位置に配置されているスイッチ１５２を押圧する。なお、同様に、第１操作部１１２のＹ軸方向プラス側の部位１２７が押された場合は、当該部位１２７に対応する位置に配置されているスイッチ１５３を押圧し、第１操作部１１２のＸ軸方向マイナス側の部位１２８が押圧された場合は、当該部位１２８に対応する位置に配置されているスイッチ１５４を押圧する。
【００３８】
導光体１１３は、基板１１９に実装されている光源１６１〜１６４から発光された光を、スイッチ１５１〜１５４からスイッチ１５１〜１５４の押圧方向（Ｚ軸方向マイナス側）とは反対方向（Ｚ軸方向プラス側）に向けて光を導く。導光体１１３は、具体的には、基板１１９の前側（Ｚ軸方向プラス側）に設けられている。導光体１１３は、透明な材料により構成されており、例えば、アクリル樹脂や、ポリカーボネート樹脂等により構成される。導光体１１３の具体的な構成については後述する。
【００３９】
導光体１１３は、光源１６１〜１６４から発光された光を、第１操作部１１２の４つの部位１２５〜１２８のそれぞれに対応する４つの位置に形成されている４つの反射意匠１４１〜１４４（後述参照）においてＺ軸方向プラス側に光を反射する。つまり、入力装置１００の第１操作部１１２の４つの部位１２５〜１２８のそれぞれには、光源１６１〜１６４が発光している場合、４つの反射意匠１４１〜１４４が表示される。
【００４０】
マスク体１１４は、図５に示すように、略矩形板状の複数のマスク部材４０１〜４０４である。複数のマスク部材４０１〜４０４は、それぞれ、基板１１９に実装されている光源１７１〜１７４から発光された光を、透光意匠４１１〜４１４の形状の透光部分（図の白抜き部分）でＺ軸方向プラス側に透過し、かつ、透光部分を除く遮光部分（図のドットパターン部分）で光を遮光する。また、マスク体１１４は、光源１７１〜１７４から発光された光を拡散する光拡散部材であってもよい。これにより、入力装置１００の第１操作部１１２の４つの部位１２５〜１２８のそれぞれには、光源１７１〜１７４が発光している場合、４つの透光意匠４１１〜４１４が表示される。なお、以下の説明では、第１意匠を反射意匠、第２意匠を透光意匠という。
【００４１】
第１支持部１１５は、第１操作部１１２及び導光体１１３を支持する部材である。また、第１支持部１１５は、軸体１１６を第２軸ＡＸ２で揺動可能に支持している。
【００４２】
第２支持部１１８は、第２操作部１１７を支持する部材である。また、第２支持部１１８は、軸体１１６を第１軸ＡＸ１で揺動可能に支持している。
【００４３】
第１支持部１１５と第２支持部１１８とは互いに干渉しないように配置されている。このため、第１支持部１１５は、第２支持部１１８に対して軸体１１６を介することで、２軸に揺動することができる。よって、第１操作部１１２は、第２支持部１１８に対して２軸に揺動することができる。
【００４４】
第２操作部１１７は、第２支持部１１８に対してＺ軸方向にスライド可能に支持されており、Ｚ軸方向マイナス側に押された場合、基板１１９の中央に配置されるスイッチ１５５を押圧する。このような構成とすることにより、例えば、第１操作部１１２により４方向操作を行ってメニュー選択を行い、第２操作部１１７により選択した内容を決定するという機能を実現することができる。
【００４５】
第１支持部１１５、軸体１１６、第２操作部１１７及び第２支持部１１８は、例えば、不透明な樹脂により構成されている。
【００４６】
基板１１９は、複数のスイッチ１５１〜１５５と、導光光源としての複数の光源１６１〜１６５と、直接光源としての複数の光源１７１〜１７５とを有する配線基板である。複数のスイッチ１５１〜１５５及び複数の光源１６１〜１６５、１７１〜１７５は、基板１１９の前面側（Ｚ軸方向プラス側）の主面に実装されている。このため、簡単な構成で、複数のスイッチ１５１〜１５５と、複数の光源１６１〜１６５、１７１〜１７５とを配置することができる。なお、基板１１９は、さらに、制御回路２１０を有していてもよい。
【００４７】
複数のスイッチ１５１〜１５５のそれぞれは、押圧されることによりオンオフを切り替えるスイッチである。具体的には、複数のスイッチ１５１〜１５５のそれぞれは、押圧されることにより、予め設定されている機能のオンオフを切り替えるスイッチである。
【００４８】
複数（ｎ個：本実施の形態では４個）の光源１６１〜１６４は、それぞれ、導光体１１３の後述するｎ個（本実施の形態では４個）の導光脚部３１０、３２０、３３０、３４０に対応して配置される。４個の光源１６１〜１６４は、環状に並んで配置される。同様に、光源１６５は、第２操作部１１７に光を導く、図示しない導光体に対応して配置され、光源１７５は、第２操作部１１７に対向して配置される図示しないマスク体に対応して配置される。複数の光源１６１〜１６５、１７１〜１７５のそれぞれは、例えば、ＬＥＤ（Ｌｉｇｈｔ  Ｅｍｉｔｔｉｎｇ  Ｄｉｏｄｅ）により構成されている。
【００４９】
また、複数のスイッチ１５１〜１５５は、基板１１９の主面（つまり前面）の互いに異なる位置に配置されている。同様に、複数の光源１６１〜１６５、１７１〜１７５は、基板１１９の主面の互いに異なる位置に配置されている。
【００５０】
なお、第１操作部１１２は、透光性を有する材料により構成されており、例えば、樹脂により構成されている。第１操作部１１２は、スモークに着色されていることが好ましい。これにより、基板１１９に実装されている光源１６１〜１６４または光源１７１〜１７４が発光している場合には、導光体１１３に形成されている反射意匠１４１〜１４４が発光している光または透光意匠４１１〜４１４が透過している光をＺ軸方向プラス側に出射させることができ、当該光源１６１〜１６４または当該光源１７１〜１７４が発光していない場合には、内部の部品が運転者によって視認される可能性を低減させることができる。
【００５１】
［１−３．導光体の構成］
次に、図６および図７を参照しながら、実施の形態に係る導光体１１３の構成について説明する。図６は、導光体１１３の外観斜視図である。図７は、導光体１１３をＺ軸方向プラス側から見た正面図である。
【００５２】
導光体１１３は、ｎ個（本実施の形態では４個）の導光脚部３１０、３２０、３３０、３４０と、出射部３５０とを有する。
【００５３】
導光脚部３１０は、光源１６１に対向して配置される入光面３１１を有し、入光面３１１から入光された光源１６１の光を導光する。同様に、導光脚部３２０は、光源１６２に対向して配置される入光面３２１を有し、入光面３２１から入光された光源１６２の光を導光する。同様に、導光脚部３３０は、光源１６３に対向して配置される入光面３３１を有し、入光面３３１から入光された光源１６３の光を導光する。同様に、導光脚部３４０は、光源１６４に対向して配置される入光面３４１を有し、入光面３４１から入光された光源１６４の光を導光する。つまり、４個の導光脚部３１０、３２０、３３０、３４０は、４個の光源１６１〜１６４に対向して配置される４個の入光面３１１、３２１、３３１、３４１を有し、それぞれが４個の入光面のそれぞれから入光された光を導光する。
【００５４】
出射部３５０は、４個の導光脚部３１０、３２０、３３０、３４０のそれぞれと屈曲した形状で接続される板状の部材である。出射部３５０には、４個の反射意匠１４１〜１４４が配置されている。具体的には、反射意匠１４１は、出射部３５０のＹ軸方向マイナス側の領域３５１に配置されている。また、反射意匠１４２は、出射部３５０のＸ軸方向プラス側の領域３５２に配置されている。また、反射意匠１４３は、出射部３５０のＹ軸方向プラス側の領域３５３に配置されている。また、反射意匠１４４は、出射部３５０のＸ軸方向マイナス側の領域３５４に配置されている。また、４個の反射意匠１４１〜１４４は、それぞれ、マスク体１１４による４個の透光意匠４１１〜４１４と重なる位置に配置されている。
【００５５】
また、出射部３５０には、中央に開口３９０が形成されている。開口３９０は、出射部３５０の４個の反射意匠１４１〜１４４が並ぶ環状の内方に配置されている。また、開口３９０は、具体的には、４個の反射意匠１４１〜１４４のうち環状の周方向に隣り合う２つの反射意匠の間の領域に配置される。
【００５６】
４個の反射意匠１４１〜１４４は、４個の導光脚部３１０、３２０、３３０、３４０により出射部３５０に導かれた複数の光源１６１〜１６４による光をＺ軸方向プラス側に反射する。４個の反射意匠１４１〜１４４は、それぞれが所定の形状で出射部３５０に導かれた光をＺ軸方向プラス側に反射するように形成されている。
【００５７】
［１−４．意匠の構成］
次に、図８〜図１１を参照しながら、実施の形態に係る反射意匠１４１の構成について説明する。図８は、導光体１１３の反射意匠１４１が形成されている出射部を光を照射する側から見た図である。なお、他の反射意匠１４２〜１４４の構成は、反射意匠１４１と同様の構成を有するため説明を省略する。
【００５８】
反射意匠１４１は、図８に示すように、導光体１１３の出射部３５０のＺ軸方向マイナス側、つまり、光源１７１が配置される側の面３５０ａに配置される複数の凹部５００により構成されている。反射意匠１４１は、具体的には、対応する反射意匠の形状に配置された複数の凹部５００の集合により構成される。つまり、複数の凹部５００は、所定の表面としての面３５０ａに反射意匠１４１の形状に並んで配置されている。
【００５９】
次に、複数の凹部５００の形状について図９および図１０を用いて説明する。なお、以下の説明では、第１凹部を凹部５００Ａ、第２凹部を凹部５００Ｂという。
【００６０】
図９および図１０は、互いに隣り合う２つの凹部５００Ａ、５００Ｂの関係について説明するための図である。具体的には、図９は、複数の凹部５００のうち隣り合う２つの凹部５００Ａ、５００ＢをＺ軸方向プラス側から見た斜視図である。なお、図９では、出射部３５０のＺ軸方向プラス側の面を図示していない。また、図１０の（ａ）は、図９におけるＸ−Ｘ断面図であり、図１０の（ｂ）は、２つの凹部５００Ａ、５００ＢをＺ軸方向プラス側から見た平面図である。また、図９および図１０では、２つの凹部５００Ａ、５００Ｂの並び方向をＸ１軸方向とし、Ｘ１軸方向およびＺ軸方向に直交する方向をＹ１軸方向とする。
【００６１】
ここでは、複数の凹部５００のうちの互いに隣り合う２つの凹部５００Ａ、５００Ｂの形状について説明する。２つの凹部５００Ａ、５００Ｂは、他の凹部５００も同様の形状を有するため、説明を省略する。つまり、複数の凹部５００は、それぞれ同じサイズである。
【００６２】
凹部５００Ａ、５００Ｂは、それぞれ、Ｚ軸方向プラス側に頂点５０３Ａ、５０３Ｂを有し、底面５０２Ａ、５０２ＢがＺ軸方向マイナス側の空間に開放されている角錐形状の凹部である。具体的には、２つの凹部５００Ａ、５００Ｂのそれぞれは、正六角形の底面５０２Ａ、５０２Ｂが面３５０ａ側の空間に開放されている直角錐形状の空間を形成している。これにより、２つの凹部５００Ａ、５００Ｂは、それぞれ、底面５０２Ａ、５０２Ｂの各辺と頂点５０３Ａ、５０３Ｂとを結んでできる三角形の６つの側面５０１Ａ、５０１Ｂを有する。なお、底面５０２は、直角錐形状の空間を定義する底面であり、仮想的な面である。底面５０２は、面３５０ａと同一の平面上に配置されている。
【００６３】
図１０の（ｂ）に示すように、凹部５００Ａ、５００Ｂにおいて、凹部５００Ａの底面５０２Ａにおける辺５０２Ａａと、凹部５００Ｂの底面５０２Ｂにおける辺５０２Ｂａとは平行である。凹部５００Ａおよび凹部５００Ｂは、同じ形状かつ同じサイズを有するため、底面５０２Ａおよび底面５０２Ｂも同じ形状かつ同じサイズを有する。よって、辺５０２Ａａおよび辺５０２Ｂａは、同じ長さを有している。辺５０２Ａａおよび辺５０２Ｂａは、略全長に亘って互いに対向している。
【００６４】
このため、光源１７１から光が照射されると、図９および図１０の（ａ）に示すように、辺５０２Ｂａを含む側面５０１Ｂａを通過したビームは、辺５０２Ａａを含む側面５０１Ａａの一部の領域（図９における斜線ハッチング）においてＺ軸方向プラス側に向けて反射される。また、図示していないが、反対に辺５０２Ａａを含む側面５０１Ａａを通過したビームは、辺５０２Ｂａを含む側面５０１ＢａにおいてＺ軸方向プラス側に向けて反射される。よって、複数の凹部５００が形成されている導光体１１３において、複数の凹部５００が形成されている側から導光体１１３で導光させるための光源とは異なる光源１７１から複数の凹部５００が形成されている面３５０ａに光を照射した場合であっても、照射した光の多くをＺ軸方向プラス側に向けて透過させることができる。
【００６５】
また、凹部５００Ａの頂点５０３Ａと、凹部５００Ｂの頂点５０３Ｂとの間の距離Ｐは、底面５０２Ａ、５０２Ｂの外接円５０４Ａ、５０４Ｂの直径ｄの２倍より小さくてもよい。このため、辺５０２Ｂａを含む側面５０１Ｂａで屈折されて、出射部３５０に進入した光の多くを辺５０２Ａａを含む側面５０１ＡａでＺ軸方向プラス側に反射させることができる。よって、Ｚ軸方向マイナス側からの光を効率よくＺ軸方向プラス側に出射させることができる。なお、特に、図９の凹部５００Ａが正六角錐であり、図１０の（ａ）における、底面５０２Ａと側面５０１Ａのなす角度θが６０°である場合、距離Ｐが外接円５０４Ａ、５０４Ｂの直径ｄの２倍以上であれば、幾何学的に、凹部５００Ａに隣り合う凹部５００Ｂから進入したビームが側面５０１Ａａに至らなくなる。すなわち、図９の斜線ハッチングの領域がなくなる。そのため、凹部５００Ｂからのビームを有効に側面５０１ＡａでＺ軸方向プラス側に反射させることができなくなる。したがって、本実施の形態では、距離Ｐが外接円５０４Ａ、５０４Ｂの直径ｄの２倍より小さくしている。
【００６６】
図１１は、意匠を形成している複数の凹部の一部をＺ軸方向プラス側から見た斜視図である。
【００６７】
複数の凹部５００のそれぞれは、当該凹部５００の底面５０２の各辺において、上述したような２つの凹部５００Ａ、５００Ｂで示した関係を満たすように配置されていてもよい。例えば、図１１に示すように、複数の凹部５００は、凹部５００Ａの底面５０２Ａの各辺に対向する複数の凹部５００Ｂ〜５００Ｇを有し、底面５０２Ａの複数の辺のそれぞれは、当該辺が対向する複数の凹部５００Ｂ〜５００Ｇの辺と互いに平行な関係にあってもよい。
【００６８】
このため、凹部５００Ａの周囲に配置されている複数の凹部５００Ｂ〜５００Ｇの複数の側面のうち凹部５００Ａ側に配置されている側面から出射部３５０に進入した光を、凹部５００Ａの全ての側面５０１ＡでＺ軸方向プラス側に反射させることができる。よって、Ｚ軸方向マイナス側からの光を効率よくＺ軸方向プラス側に出射させることができる。
【００６９】
［１−５．制御回路］
図１２は、入力装置１００の回路構成の一例を示すブロック図である。
【００７０】
制御回路２１０は、２つの動作モードに応じて、４個のスイッチ１５１〜１５４による入力を切り替えて受け付ける。例えば、制御回路２１０は、第１動作モードとしてのメニュー選択モードと、第２動作モードとしての音楽プレイヤーモードとの２種類の動作モードで入力装置１００を動作させる。制御回路２１０は、所定の切り替え手段（例えば図示しない選択スイッチ）によって切り替えられた動作モードに応じて、４個のスイッチ１５１〜１５４が押圧されたときの入力を切り替える。所定の切り替え手段は、選択スイッチのオンオフの他に、音声認識、ジェスチャ認識など様々な切り替え手段が考えられる。
【００７１】
また、制御回路２１０は、動作モードに応じて、割り当てられる４個のスイッチ１５１〜１５４から出力される信号による入力と、光源１６１〜１６５、１７１〜１７５により発光する意匠とを対応づけている。例えば、第１動作モードにおいては、スイッチ１５１〜１５４は、メニューを選択するために選択されている項目を移動させるための十字キーとして機能する。また、第２動作モードにおいては、スイッチ１５１〜１５４は、音楽プレイヤーの曲送り、曲戻し、音量増加、音量減少、再生／停止などのキーとして機能する。
【００７２】
つまり、制御回路２１０は、動作モードに応じて、光源１６１〜１６５と光源１７１〜１７５とのいずれかを選択的に点灯させる。これにより、制御回路２１０は、第１動作モードでは、光源１６１〜１６５を点灯させることで反射意匠１４１〜１４４が表示されるようにし、第２動作モードでは、光源１７１〜１７５を点灯させることで透光意匠４１１〜４１４が表示されるように、光源１６１〜１６５、１７１〜１７５を制御している。
【００７３】
具体的には、制御回路２１０は、第１動作モードにおいて、光源１６１〜１６５を点灯させ、かつ、光源１７１〜１７５を消灯させ、第２動作モードにおいて、光源１７１〜１７５を点灯させ、かつ、光源１６１〜１６５を消灯させる。つまり、制御回路２１０は、動作モードが第１動作モードであるか第２動作モードであるかに応じて、光源１６１〜１６５が点灯しており、かつ、光源１７１〜１７５が消灯している第１状態と、光源１７１〜１７５が点灯しており、かつ、光源１６１〜１６５が消灯している第２状態とのいずれかに選択的に遷移する。よって、制御回路２１０は、第１動作モードにおいて、光源１６１〜１６５のみを発光させる制御を行う。また、制御回路２１０は、第２動作モードにおいて、光源１７１〜１７５のみを発光させる制御を行う。
【００７４】
このように、制御回路２１０は、表示させている意匠が反射意匠１４１〜１４４であるか、または透光意匠４１１〜４１４であるかに応じて、押圧により各スイッチ１５１〜１５４から出力される信号を異なる入力として受け付ける。
【００７５】
なお、上記の例では、制御回路２１０は、表示させている意匠が反射意匠１４１〜１４４であるか、または透光意匠４１１〜４１４であるかに応じて、各スイッチ１５１〜１５４から出力される信号を異なる入力として受け付けるとしたが、これの代わりに、各スイッチ１５１〜１５４から出力される信号そのものを異ならせてもよい。つまり、各スイッチ１５１〜１５４は、表示させている意匠が反射意匠１４１〜１４４であるか、または透光意匠４１１〜４１４であるかに応じて異なる信号を出力してもよい。この場合に各スイッチ１５１〜１５４は、例えば、第１動作モードでは第１の電圧の信号を出力し、第２動作モードでは第１の電圧とは異なる第２の電圧の信号を出力することで、異なる信号を出力してもよい。
【００７６】
［１−６．効果など］
本実施の形態では、複数の凹部５００の形状を正六角形の底面５０２を有する直角錐形状とし、互いに隣り合う２つの凹部５００Ａ、５００Ｂの底面５０２Ａ、５０２Ｂの対向する２つの辺５０２Ａａ、５０２Ｂａ同士が平行である。このため、Ｚ軸方向マイナス側からの光を、辺５０２Ｂａを含む凹部５００Ｂの側面５０１Ｂａから導光体１１３に進入した光を、凹部５００Ａの辺５０２Ａａを含む側面５０１Ａａ側に導き、かつ、当該光を側面５０１ＡａでＺ軸方向プラス側に向けて反射させることができる。これにより、導光体１１３の出射部３５０の板厚方向の一方側（Ｚ軸方向マイナス側）から光を照射された場合であっても、複数の凹部５００からその反対側（Ｚ軸方向プラス側）に光を出射することができる。また、本実施の形態のような構成の導光体１１３を用いることで、複数の凹部５００が形成されている部位においても、導光体１１３の出射部３５０においてＺ軸方向に光を効率よく透過させることができるため、当該光を用いた表示における表示ムラを低減することができる。
【００７７】
また、本実施の形態において、複数の凹部５００は、それぞれ同じサイズであり、互いに対向している辺５０２Ａａ、５０２Ｂａは、略全長に亘って互いに対向している。このため、辺５０２Ｂａを含む側面５０１Ｂａで導光体１１３の出射部３５０に進入した光の多くを辺５０２Ａａを含む側面５０１ＡａでＺ軸方向プラス側に反射させることができる。よって、導光体１１３の出射部３５０の板厚方向の一方側（Ｚ軸方向マイナス側）から光を照射された場合であっても、複数の凹部５００からその反対側（Ｚ軸方向プラス側）に光を出射することができる。
【００７８】
また、本実施の形態において、入力装置１００は、動作モードに応じて、光源１６１〜１６５のみを発光させる制御を行うか、光源１７１〜１７５のみを発光させる制御を行うかを選択的に切り替える。このため、導光体１１３は、光源１６１〜１６５のみが発光されたときには、光源１６１〜１６４からの光を各導光脚部３１０、３２０、３３０、３４０から出射部３５０に導光することで、反射意匠１４１〜１４４を表示させる。また、導光体１１３は、光源１７１〜１７５のみが発光されたときには、光源１７１〜１７４の光を効率よくＺ軸方向に透過させることで透光意匠４１１〜４１４を効果的に表示させることができる。つまり、導光体１１３は、光源１６１〜１６４からの光による反射意匠１４１〜１４４の表示と、光源１７１〜１７４からの光による透光意匠４１１〜４１４の表示とを、両立して効果的に表示させることができる。
【００７９】
また、入力装置１００は、マスク体１１４と、光源１７１〜１７４と、制御回路２１０とを備える。マスク体１１４は、出射部３５０に対向しており、透光意匠４１１〜４１４の形状の透光部分で光を透光し、かつ、透光部分を除く遮光部分で光を遮光する。光源１７１〜１７４は、マスク体１１４に向けてＺ軸方向マイナス側から光を照射する。制御回路２１０は、光源１６１〜１６４と光源１７１〜１７４とを選択的に発光させる。このため、入力装置１００は、反射意匠１４１〜１４４と、透光意匠４１１〜４１４とを選択的に切り替えて表示することが容易にできる。
【００８０】
また、入力装置１００において、マスク体１１４は、光源１７１〜１７４から発光された光を拡散する光拡散部材である。このため、光源１７１〜１７４から発光された光による透光意匠４１１〜４１４の表示における表示ムラを低減することができる。
【００８１】
また、入力装置１００において、出射部３５０に配置されている反射意匠１４１〜１４４と、マスク体１１４に配置されている透光意匠４１１〜４１４とは、重なって配置されている。このため、複数の異なる意匠を表示させる構成をコンパクトな構成で実現することができる。さらに、反射意匠１４１〜１４４と透光意匠４１１〜４１４とが重なって配置されることにより、透光意匠４１１〜４１４を透過した光は、出射部３５０の凹部５００が形成される領域と、凹部５００のない領域の両方に照射される。しかし、図９から図１１に示すように、隣り合う凹部からの光をＺ軸プラス側に有効に反射するので、凹部５００が形成される領域でも十分な明度を得ることができる。したがって、透光意匠４１１〜４１４は、凹部５００を有する出射部３５０を介していても、表示ムラを低減した状態で表示される。
【００８２】
［１−７．変形例］
［１−７−１．変形例１］
上記実施の形態では、スイッチ１５１〜１５５を有する入力装置１００としたが、スイッチ１５１〜１５５を有さずに、反射意匠１４１〜１４４または透光意匠４１１〜４１４を選択的に表示させる表示装置として実現してもよい。また、表示装置は、マスク体１１４および光源１７１〜１７４を備えていなくてもよく、反射意匠１４１〜１４４を表示させる装置として実現してもよい。
【００８３】
［１−７−２．変形例２］
上記実施の形態では、導光体１１３は、４個の導光脚部３１０、３２０、３３０、３４０を有し、出射部３５０には４個の反射意匠１４１〜１４１が配置されている構成としたが、これに限らない。導光体は、導光体１１３のうちの１個の導光脚部３１０と、１個の反射意匠１４１が配置されている出射部３５０の一部のみを有する構成としてもよい。この場合であっても、光源１７１からの光をＺ軸方向に効率よく透過させることができるという効果が奏される。
【００８４】
［１−７−３．変形例３］
上記実施の形態では、複数の凹部５００は、正六角形の底面５０２がＺ軸方向マイナス側の空間に開放されている直角錐形状の空間を形成しているとしたが、底面は正六角形に限らずに、正三角形であってもよいし、正方形であってもよい。つまり、凹部が形成する空間の形状は、正三角形を底面として有する直角錐形状であってもよいし、正方形を底面として有する直角錐形状であってもよい。正三角形を底面として有する直角錐形状の凹部であっても、正方形を底面として有する直角錐形状の凹部であっても、複数の凹部のうちの一の凹部の底面の各辺に対向する位置に他の凹部の底面の各辺が平行に対向するように配置することができる。
【００８５】
［１−７−４．変形例４］
上記実施の形態では、２つの凹部５００Ａ、５００Ｂの底面５０２Ａ、５０２Ｂの辺５０２Ａａ、５０２Ｂａ同士は、平行であり、かつ、略全長に亘って互いに対向しているとしたが、全長に亘って互いに対向していなくてもよく、対向している方向に重なっている部分があればよい。
【００８６】
以上、本発明の一つまたは複数の態様に係る表示装置および入力装置について、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、本発明の一つまたは複数の態様の範囲内に含まれてもよい。
【産業上の利用可能性】
【００８７】
本発明は、板厚方向に効率よく光を透過させることができる導光体、および、当該導光体を用いた表示装置などとして有用である。
【符号の説明】
【００８８】
２  ステアリング入力装置
４  自動車
６  車載機器
８  ステアリングホイール
１２  リム
１４  スポーク
１６  ホーンスイッチカバー
１８  指
２０  ダッシュボード
１００  入力装置
１１１  筐体
１１２  第１操作部
１１３  導光体
１１４  マスク体
１１５  第１支持部
１１６  軸体
１１７  第２操作部
１１８  第２支持部
１１９  基板
１２５〜１２８  部位
１５１〜１５５  スイッチ
１６１〜１６５、１７１〜１７５  光源
２１０  制御回路
３１０、３２０、３３０、３４０  導光脚部
３１１、３２１、３３１、３４１  入光面
３１２  第１部分
３１２ａ  第１反射面
３１３  第２部分
３１３ａ  第２反射面
３１４、３２４、３３４、３４４  接続部分
３５０  出射部
３５１〜３５４  領域
４０１〜４０４  マスク部材
４１１〜４１４  透光意匠
５００、５００Ａ〜５００Ｇ  凹部
５０１Ａ、５０１Ａａ、５０１Ｂ、５０１Ｂａ  側面
５０２、５０２Ａ、５０２Ｂ  底面
５０２Ａａ、５０２Ｂａ  辺
５０３Ａ、５０３Ｂ  頂点
５０４Ａ、５０４Ｂ  外接円
【図１】
2019089509.tif 000003
【図２】
2019089509.tif 000004
【図３】
2019089509.tif 000005
【図４】
2019089509.tif 000006
【図５】
2019089509.tif 000007
【図６】
2019089509.tif 000008
【図７】
2019089509.tif 000009
【図８】
2019089509.tif 000010
【図９】
2019089509.tif 000011
【図１０】
2019089509.tif 000012
【図１１】
2019089509.tif 000013
【図１２】
2019089509.tif 000014